(57)【要約】      （修正有）【課題】熟練した技量が無くとも容易かつ確実にファスナ嵌合状態にすることができ、しかも、紛失の虞れの無いファスナ閉じ具を提供する。【解決手段】袋本体８の開口縁部81に沿って配設された密封用のファスナ部Ｆをファスナ嵌合状態にするための閉作動専用のファスナ閉じ具であって、開口縁部81を跨ぐように配設されたインナー具１にアウター具２を外嵌状に組付けた袋取付け状態において、アウター具２は、一対の第２脚片21，21をもって一対の第１脚片11，11の開脚を規制し、インナー具１は、一対の第１脚片11，11が、ファスナ嵌合状態となるように袋外面側からファスナ部Ｆを挟圧し、さらに、第１脚片11の内面に設けた小突起部12が袋外面側からファスナ部Ｆの下縁部Ｆｄに係止して、上方への抜けを阻止するように構成した。【選択図】図２
2020005748.tif 000002
【特許請求の範囲】
【請求項１】
袋本体（８）の開口縁部（81）に沿って配設された密封用のファスナ部（Ｆ）をファスナ嵌合状態にするための閉作動専用のファスナ閉じ具であって、
上記開口縁部（81）を跨ぐように配設される一対の第１脚片（11）（11）を有するインナー具（１）と、上記インナー具（１）の一対の上記第１脚片（11）（11）を閉じるように挟持するための一対の第２脚片（21）（21）を有するアウター具（２）と、を備え、
上記開口縁部（81）を跨ぐように配設された上記インナー具（１）に上記アウター具（２）を外嵌状に組付けた袋取付け状態において、上記アウター具（２）は、一対の上記第２脚片（21）（21）をもって一対の上記第１脚片（11）（11）の開脚を規制し、上記インナー具（１）は、一対の上記第１脚片（11）（11）が、ファスナ嵌合状態となるように袋外面側から上記ファスナ部（Ｆ）を挟圧し、さらに、上記第１脚片（11）の内面に設けた小突起部（12）が袋外面側から上記ファスナ部（Ｆ）の下縁部（Ｆｄ）に係止して、上方への抜けを阻止するように構成したことを特徴とするファスナ閉じ具。
【請求項２】
上記インナー具（１）及び上記アウター具（２）は、樹脂成形品であって、
上記インナー具（１）は、上記アウター具（２）よりも剛性が低く形成されている請求項１記載のファスナ閉じ具。
【請求項３】
開口縁部（81）に沿って配設された密封用のファスナ部（Ｆ）を有する袋本体（８）と、上記袋本体（８）をファスナ嵌合状態にするための閉作動専用のファスナ閉じ具（３）と、を備えた密封用袋体であって、
上記ファスナ閉じ具（３）は、上記開口縁部（81）を跨ぐように配設される一対の第１脚片（11）（11）を有するインナー具（１）と、上記インナー具（１）の一対の上記第１脚片（11）（11）を閉じるように挟持するための一対の第２脚片（21）（21）を有するアウター具（２）と、を備え、
上記開口縁部（81）を跨ぐように配設された上記インナー具（１）に上記アウター具（２）を外嵌状に組付けた袋取付け状態において、上記アウター具（２）は、一対の上記第２脚片（21）（21）をもって一対の上記第１脚片（11）（11）の開脚を規制し、上記インナー具（１）は、一対の上記第１脚片（11）（11）が、ファスナ嵌合状態となるように袋外面側から上記ファスナ部（Ｆ）を挟圧し、さらに、上記第１脚片（11）の内面に設けた小突起部（12）が袋外面側から上記ファスナ部（Ｆ）の下縁部（Ｆｄ）に係止して、上記ファスナ閉じ具（３）の上方への抜けを阻止するように構成したことを特徴とする密封用袋体。
【発明の詳細な説明】
【技術分野】
【０００１】
本発明は、ファスナを閉状態にするためのファスナ閉じ具、及び、密封用袋体に関する。
【背景技術】
【０００２】
従来、開口縁部に沿って配設された密封用のファスナ部を有する袋本体を、密封状態にする場合に、ファスナ部を挟圧するための一対の押圧片部を有する開閉自在な鰐口（ワニグチ）型のファスナ閉じ具を用いていた（例えば、特許文献１参照）。
【先行技術文献】
【特許文献】
【０００３】
【特許文献１】特開２０１２−７５６７７号公報
【発明の概要】
【発明が解決しようとする課題】
【０００４】
しかし、従来のファスナ閉じ具は、作業者の手で、一対の押圧片部を閉じた状態に保持しつつスライドさせるため、挟圧操作力が作業者によってばらついたり、スライド中に一対の押圧片部が僅かに開いたりして、ファスナ部の嵌合（袋本体の密封）が不完全になるといった問題があった。即ち、熟練した技量（操作にコツ）が必要という問題があった。また、ファスナ閉じ具を紛失する虞れがあるという問題もあった。
【０００５】
そこで、本発明は、熟練した技量が無くとも容易かつ確実にファスナ嵌合状態にすることができ、しかも、紛失の虞れの無いファスナ閉じ具の提供を目的とする。
また、本発明は、熟練した技量が無くとも容易かつ確実にファスナ部を嵌合させて袋密封状態にすることができ、しかも、ファスナ閉じ具が紛失する虞れの無い密封用袋体の提供を目的とする。
【課題を解決するための手段】
【０００６】
本発明のファスナ閉じ具は、袋本体の開口縁部に沿って配設された密封用のファスナ部をファスナ嵌合状態にするための閉作動専用のファスナ閉じ具であって、上記開口縁部を跨ぐように配設される一対の第１脚片を有するインナー具と、上記インナー具の一対の上記第１脚片を閉じるように挟持するための一対の第２脚片を有するアウター具と、を備え、上記開口縁部を跨ぐように配設された上記インナー具に上記アウター具を外嵌状に組付けた袋取付け状態において、上記アウター具は、一対の上記第２脚片をもって一対の上記第１脚片の開脚を規制し、上記インナー具は、一対の上記第１脚片が、ファスナ嵌合状態となるように袋外面側から上記ファスナ部を挟圧し、さらに、上記第１脚片の内面に設けた小突起部が袋外面側から上記ファスナ部の下縁部に係止して、上方への抜けを阻止するように構成したものである。
また、上記インナー具及び上記アウター具は、樹脂成形品であって、インナー具は、上記アウター具よりも剛性が低く形成されているものである。
【０００７】
また、本発明の密封用袋体は、開口縁部に沿って配設された密封用のファスナ部を有する袋本体と、上記袋本体をファスナ嵌合状態にするための閉作動専用のファスナ閉じ具と、を備えた密封用袋体であって、上記ファスナ閉じ具は、上記開口縁部を跨ぐように配設される一対の第１脚片を有するインナー具と、上記インナー具の一対の上記第１脚片を閉じるように挟持するための一対の第２脚片を有するアウター具と、を備え、上記開口縁部を跨ぐように配設された上記インナー具に上記アウター具を外嵌状に組付けた袋取付け状態において、上記アウター具は、一対の上記第２脚片をもって一対の上記第１脚片の開脚を規制し、上記インナー具は、一対の上記第１脚片が、ファスナ嵌合状態となるように袋外面側から上記ファスナ部を挟圧し、さらに、上記第１脚片の内面に設けた小突起部が袋外面側から上記ファスナ部の下縁部に係止して、上記ファスナ閉じ具の上方への抜けを阻止するように構成したものである。
【発明の効果】
【０００８】
本発明のファスナ閉じ具は、所定の挟圧力をもってファスナ部を嵌合状態にしつつ、スライドさせることができ、ファスナ嵌合の不完全を防止できる。ファスナ嵌合状態にするための挟圧力を作業者が付与する必要が無く、熟練した技量の無い人（操作のコツを知らない人）や、力の弱い人であっても、確実にファスナ部を嵌合状態にすることができる。また、袋本体に取着するため紛失する虞れが無く、また、ファスナ閉じ具を探す手間も不要で、いつでも、どこでも、迅速に、かつ、繰り返し、ファスナ部を嵌合状態にすることができる。
また、本発明の密封用袋体は、所定の挟圧力をもってファスナ部を嵌合状態にしつつ、スライドさせることができ、ファスナ嵌合の不完全（密封不足）を防止できる。ファスナ嵌合状態にするための挟圧力を作業者が付与する必要が無く、熟練した技量の無い人や、力の弱い人であっても、確実に袋本体を密封させることができる。また、ファスナ閉じ具が袋本体に取着しており、紛失する虞れが無く、また、ファスナ閉じ具を探す手間も不要で、いつでも、どこでも、迅速に、かつ、繰り返し、袋本体を密封状態にすることができる。
【図面の簡単な説明】
【０００９】
【図１】本発明の実施の一形態を示す側面図である。
【図２】断面図であって、（Ａ）は図１のＡ−Ａ断面図であり、（Ｂ）は図１のＢ−Ｂ断面図である。
【図３】ファスナ閉じ具の実施形態を示す図であって、（Ａ）は断面側面図であり、（Ｂ）は（Ａ）のＶ−Ｖ断面図であり、（Ｃ）は（Ｂ）のＷ−Ｗ断面図である。
【図４】アウター具の一例を示す図であって、（Ａ）は側面図であり、（Ｂ）は正面図である。
【図５】インナー具の一例を示す図であって、（Ａ）は側面図であり、（Ｂ）は正面図である。
【図６】袋取付け準備状態の一例を示す斜視図である。
【図７】袋取付け状態の一例を示す斜視図である。
【図８】ファスナ開作業を説明するための平面図である。
【図９】インナー具の他の一例を示す図であって（Ａ）は正面図であり、（Ｂ）は下方から見た斜視図である。
【図１０】他の実施形態の取付け準備状態を説明するための斜視図である。
【図１１】他の実施形態の取付け準備状態を示す斜視図である。
【図１２】ファスナ閉じ具の他の実施形態を示す図であって、（Ａ）は側面図であり、（Ｂ）は正面図であり、（Ｃ）は（Ｂ）のＸ−Ｘ断面図であり、（Ｄ）は（Ｃ）のＹ−Ｙ断面である。
【発明を実施するための形態】
【００１０】
以下、図示の実施形態に基づき本発明のファスナ閉じ具及び密封用袋体を詳説する。
本発明に係るファスナ閉じ具３は、図１と図２に示すように、袋本体８の開口縁部81に沿って配設された密封用のファスナ部Ｆを嵌合状態にするための閉作動専用である。
本発明に係る密封用袋体は、開口縁部81に沿って配設された密封用のファスナ部Ｆを有する樹脂製の袋本体８と、ファスナ部Ｆをファスナ嵌合状態にするための閉作動専用の樹脂製のファスナ閉じ具３と、を備えている。
【００１１】
袋本体８のファスナ部Ｆは、開口縁部81の一方の第１シート部（袋壁部）86の内面に設けられた樹脂製のファスナ用雄条部Ｆａと、開口縁部81の他方の第２シート部（袋壁部）87の内面に設けられた樹脂製のファスナ用雌条部Ｆｂと、を備えている。
図示のファスナ部Ｆは、雄条部Ｆａと雌条部Ｆｂとを、夫々、２条（２連）有する複線型である。ファスナ部Ｆは、雄条部Ｆａと雌条部Ｆｂを夫々、１条有する、単線型とするも良い。
【００１２】
また、袋本体８は、開口縁部81を除く周縁部は密閉されており、ファスナ部Ｆを嵌合状態にすることで、袋内部を密封可能である。さらに、ファスナ嵌合状態にすることで、袋内部への浸水が防止される防水密封構造である。
【００１３】
図２と図３に示すように、ファスナ閉じ具３は、開口縁部81を跨ぐように配設される一対の第１脚片11，11を有するインナー具１と、インナー具１の一対の第１脚片11，11を閉じるように挟持するための一対の第２脚片21，21を有するアウター具２と、を備えている。
【００１４】
インナー具１の第１脚片11とアウター具２の第２脚片21には、結合状態（組付け状態）で、相互に係合する小雄部31と小雌部32とから成る結合手段30を設けている。
【００１５】
図２乃至図４に示すように、アウター具２は、門型に形成され、天井壁部20と、天井壁部20の左右側縁部から垂下状の左右一対の第２脚片21，21と、を有している。
第２脚片21の下部の前後中間位置に、係合手段30の小雌部32となる貫孔を設けている。
【００１６】
図２と図３及び図５に示すように、インナー具１は、門型に形成され、天井壁部10と、天井壁部10の左右側縁から垂下状の左右一対の第１脚片11，11と、を有している。
第１脚片11は、倒立Ｔ字状であって、下部の前後中間位置に、係合手段30の小雄部31となる小凸部を左右外方突出状に設けている。
また、第１脚片11は、下部の前後部夫々の内面に、左右内方へ突出する抜け止め用（カエリ型）の小突起部12，12を設けている。
【００１７】
さらに、インナー具１は、天井壁部10の前後端部、夫々に、垂下状のストッパ部13，13を有している。ストッパ部13は、前後幅広（左右幅狭）の帯板型である。
ストッパ部13の前後外方側の端縁は、アウター具２の前後端面と、前後方向位置を一致させている。つまり、ストッパ部13は、アウター具２の前後端面よりも前後外方へ突出しない。
【００１８】
インナー具１は、自由状態（アウター具２が結合する前の状態）に於て、第１脚片11が、人の手で左右方向に開脚可能（弾性的開閉変形自在）であって、図６に示すように、開口縁部81を一対の第１脚片11，11で跨ぐように配設可能である。
【００１９】
図６に示すように、開口縁部81を跨ぐように配設されたインナー具１は、第１シート部86と第２シート部87の間にストッパ部13が配設され、小突起部12が、（図６に於て図示省略する）ファスナ部Ｆの下縁部Ｆｄよりも下方位置に配設される。
【００２０】
そして、図７に示すように、開口縁部81を跨ぐように配設されたインナー具１に、上方からアウター具２を接近させて、インナー具１にアウター具２を外嵌状に配設する（被せる）と、第１脚片11の小雄部31と第２脚片21の小雌部32とが相互に係合して組付けられる。つまり、係合状態のインナー具１とアウター具２でファスナ閉じ具３が形成される。そして、ファスナ閉じ具３が開口縁部81に取着した袋取付け状態となる。
【００２１】
係合手段30（小雄部31と小雌部32）は、嵌め殺し状態や地獄状態と言われる係合であって、人の手で係合解除が不可能な係合力をもって係合している。つまり、ファスナ閉じ具３又は袋本体８を、破壊や塑性変形する程度の力を付与されない限り、係合解除が不可能である。
【００２２】
ここで、インナー具１及びアウター具２は、樹脂成形品であって、インナー具１は、アウター具２よりも剛性が低く形成されている。
言い換えると、アウター具２は、袋取付け状態で発生するインナー具１の弾性的復元力よりも高い剛性をもつように（インナー具１の開脚復元力を受けても変形しない強さに）形成されている。
インナー具１がアウター具２よりも剛性が低くなるようにする構成としては、例えば、インナー具１を、アウター具２よりも軟質の樹脂で形成する。或いは、インナー具１に薄肉部等の弾性変形が容易な部位を形成したり、アウター具２に肉盛り部等の補強部を設けて、剛性を相違させる。
インナー具１の材質は、ＰＰ（ポリプレピレン）やナイロン等の軟質樹脂が好ましい。
アウター具２の材質は、ＰＣ（ポリカーボネイト）やＰＯＭ（ポリアセタール）等の硬質樹脂が好ましい。
【００２３】
図２に示すように、袋組付け状態において、アウター具２は、一対の第２脚片21，21をもって、インナー具１の一対の第１脚片11，11が閉じるように弾性変形させ、一対の第１脚片11，11の内面の間隔が自由状態よりも小さい所定間隔寸法Ｅ（図２（Ｂ）参照）を保持するように開脚を規制する。開脚が規制された一対の第１脚片11，11は、ファスナ部Ｆがファスナ嵌合状態となるように、袋外面側から所定（一定の）押圧力をもって挟圧する。
【００２４】
また、左右一対の小突起部12，12の間の寸法も自由状態よりも小さい寸法に保持され、小突起部12が袋外面側からファスナ部Ｆの下縁部Ｆｄに係止して、ファスナ閉じ具３の上方への抜けを阻止する。
【００２５】
ファスナ閉じ具３を、開口縁部81に沿って（前後方向に）スライドさせることで、雄条部Ｆａと雌条部Ｆｂが分離した状態のファスナ部Ｆが、雄条部Ｆａと雌条部Ｆｂが嵌合したファスナ嵌合状態となる。つまり、袋本体８が密封状態となる。
【００２６】
ファスナ閉じ具３を、開口縁部81の長手方向一端部から長手方向他端部へ、又は、長手方向他端部から一端部へ、スライドさせれば、ファスナ部Ｆを嵌合状態にできる。
したがって、袋密封作業者が、ファスナ閉じ具３をスライドさせる前に、ファスナ部Ｆが嵌合状態か分離状態かを確認したり、閉じ具走行方向や袋本体８の向きを確認する必要が無く、容易かつ迅速にファスナ嵌合状態（袋密封状態）にすることができる。
【００２７】
例えば、ファスナ閉じ具３に代わってファスナ開閉作動用のスライダ具を用いて、袋密封作業を行う場合は、スマートフォンや財布や貴重品等の収納物を袋本体８に収納した後に、袋本体８の向きやスライダ具の走行方向を間違えて、スライダ具を走行させると、ファスナ分離状態（袋本体８が密封されていない状態）となり、お風呂やプール等の水場に持ち込むと、収納物が濡れる虞れがある。また、袋本体８から落下する虞れもある。
【００２８】
しかし、ファスナ閉じ具３は、ファスナ部Ｆの嵌合・分離の状態に関係無く、また、走行方向に関係なく、開口縁部81に沿って、端部から端部への前後一方向のみに１回（往復させず片道だけ）、スライドさせれば、ファスナ部Ｆは、確実に嵌合状態となる。また、ファスナ嵌合確認作業として、ファスナ閉じ具３を片道スライド走行させればよく、目視による確認よりも容易かつ確実である（信頼性が高くなる）。
【００２９】
また、図８に示すように、袋本体８は、ファスナ嵌合状態（密封状態）の開口縁部81を手指で左右外方へ引っ張って雄条部Ｆａと雌条部Ｆｂを引き剥がすことで、ファスナ分離状態となる（雄条部Ｆａと雌条部Ｆｂが分離する）ように構成している。
【００３０】
また、スライドする際に、小突起部12が、ファスナ部Ｆの下縁部Ｆｄにガイドされ、ファスナ閉じ具３が上下方向に波打つような走行（上下方向の蛇行）が阻止され、スムーズかつ確実にファスナ嵌合状態にできる。
また、開口縁部81の長手方向端部に、ストッパ部13が当接することで、長手方向端部を越えるような過大なスライドが規制され、前後方向の抜けが阻止される。
【００３１】
また、インナー具１にストッパ部13を設けることで、第１シート部86と第２シート部87の間にストッパ部13を容易に配設できる。例えば、アウター具２にストッパ部13を設けると、インナー具１に対する位置決めと、第１シート部86と第２シート部87の間に対する位置決めと、の両方に注意を払って結合作業を行う必要があり、手間と時間がかかる。
また、インナー具１は、軟質樹脂のため、樹脂成形の際に、完全に冷却固化する前（少し柔らかいうちに）、ストッパ部13や小突起部12を形成するための樹脂成形金型を抜くことが可能で、製造が容易となる。
【００３２】
また、アウター具２は、天井壁部20の上面及び一対の第２脚片21，21の左右側外面に、凹溝を形成して（凹凸面状として）、閉作動作業者が手指で操作しやすい（滑り止め作用を成す）ように構成している。
また、アウター具２の第２脚片21は、平面断面視でコの字状であって、第２脚片21の左右内方突出状の前後側縁部21ｄ，21ｄ（図３（Ａ）参照）が、第１脚片11の上下中間部位の前後側縁部11ｄ，11ｄを抱き込むように取着する。
第２脚片21の前後側縁部21ｄ，21ｄの内面（左右内面）は、第１脚片11の上下中間部位の内面（ファスナ押圧面）と同一平面状に、又は、第１脚片11の上下中間部位の内面よりも僅かに左右外位置に、配設される。
【００３３】
次に、ファスナ閉じ具３の他の実施形態について説明する。
図９と図10に示すように、インナー具１の一対の第１脚片11，11が、自由状態Ｊで、水平状（略１８０°開いた）開脚状態であり、インナー具１全体として、平板状である。
天井壁部10の左右側縁と第１脚片11の基端縁の間に、薄肉部をもって形成したヒンジ部16を形成している。
このように、インナー具１を自由状態Ｊで平板状にすることで、樹脂成形のための金型を容易に（安価に）製作できると共に、樹脂成形の際の金型の抜けも容易となる。
なお、一対の第１脚片11，11の開き角度θは、１４５°以上１８０°以下とするのが金型の製作や樹脂成形が容易で好ましい。
【００３４】
そして、図10に示すように、インナー具１を、平板状の自由状態Ｊから、開口縁部81を跨ぐように門型に変形させたアウター組付け準備状態（結合準備状態）Ｋとする。
その後、図11に示すように、開口縁部81を跨ぐように配設されたインナー具１に、上方からアウター具２を接近させて、インナー具１にアウター具２を外嵌状に配設すると、図12に示すように、第１脚片11の小雄部31と第２脚片21の小雌部32とが相互に係合して組付けられ、図示省略するが、係合状態のインナー具１とアウター具２（ファスナ閉じ具３）が、開口縁部81に取着した袋取付け状態となる。
【００３５】
また、係合手段30は、第１脚片11に、前後一対（前後側縁寄り）の小雄部31，31を設け、第２脚片21に、前後一対（前後側縁寄り）の小雌部32，32を設けている。
他の構成及び作用効果は、図１乃至図８のファスナ閉じ具３と同様である。
【００３６】
なお、本発明は、設計変更可能であって、係合手段30の小雄部31を、アウター具２の第２脚片21に設け、小雌部32をインナー具１の第１脚片11に設けても良い。また、袋本体８は、１枚の樹脂シート素材を折り返して形成したものや、２枚の樹脂製シート素材を重ね合わせて形成したもの等自由である。また、袋本体８は、電子機器等の貴重品防水用や、真空圧縮袋用、等自由である。
また、本発明の説明を容易にするために、開口縁部81が上方開口状となるように開口縁部81の第１・第２シート部86，87を鉛直面状に保持した姿勢を基準姿勢とし、その基準姿勢にもいて、鉛直方向を上下方向と呼び、雄条部Ｆａと雌条部Ｆｂが嵌合・分離する方向（袋開閉方向）を左右方向と呼び、ファスナ長手方向（閉じ具スライド走行方向）を前後方向と呼んで、方向を説明している。したがって、方向を基に、使用状態の姿勢を限定するものではない。
【００３７】
以上のように、本発明のファスナ閉じ具は、袋本体８の開口縁部81に沿って配設された密封用のファスナ部Ｆをファスナ嵌合状態にするための閉作動専用のファスナ閉じ具であって、上記開口縁部81を跨ぐように配設される一対の第１脚片11，11を有するインナー具１と、上記インナー具１の一対の上記第１脚片11，11を閉じるように挟持するための一対の第２脚片21，21を有するアウター具２と、を備え、上記開口縁部81を跨ぐように配設された上記インナー具１に上記アウター具２を外嵌状に組付けた袋取付け状態において、上記アウター具２は、一対の上記第２脚片21，21をもって一対の上記第１脚片11，11の開脚を規制し、上記インナー具１は、一対の上記第１脚片11，11が、ファスナ嵌合状態となるように袋外面側から上記ファスナ部Ｆを挟圧し、さらに、上記第１脚片11の内面に設けた小突起部12が袋外面側から上記ファスナ部Ｆの下縁部Ｆｄに係止して、上方への抜けを阻止するように構成したので、所定の挟圧力をもってファスナ部Ｆを嵌合状態にしつつ、スライドさせることができ、ファスナ嵌合の不完全を防止できる。ファスナ嵌合状態にするための挟圧力を作業者が付与する必要が無く、熟練した技量の無い人（操作のコツを知らない人）や、力の弱い人であっても、確実にファスナ部Ｆを嵌合状態にすることができる。ファスナ閉じ具３を小型・軽量化できる。また、ファスナ閉じ具３が袋本体８から上方へ抜けるのを阻止され（抜け止めされ）紛失する虞れが無く、また、子供がファスナ閉じ具３を誤飲する虞れも無い。また、ファスナ閉じ具３を探す手間も不要で、いつでも、どこでも、迅速に、かつ、繰り返し、ファスナ嵌合状態にすることができる。
【００３８】
また、上記インナー具１及び上記アウター具２は、樹脂成形品であって、上記インナー具１は、上記アウター具２よりも剛性が低く形成されているので、インナー具１は（柔軟性を有し）、開口縁部81に容易にセット（組み付け準備状態に）できる。容易にアウター具２をインナー具１に係合させる（組付ける）ことができる。インナー具１の一対の第１脚片11，11がアウター具２からの所定の（一定の）挟圧力をもって、所定間隔寸法Ｅに、確実に保持される。スライドさせる際に、インナー具１によって開口縁部81の袋外面側が傷つかず、密封性（防水性）が損なわれるのを防止できる。
【００３９】
また、本発明の密封用袋体は、開口縁部81に沿って配設された密封用のファスナ部Ｆを有する袋本体８と、上記袋本体８をファスナ嵌合状態にするための閉作動専用のファスナ閉じ具３と、を備えた密封用袋体であって、上記ファスナ閉じ具３は、上記開口縁部81を跨ぐように配設される一対の第１脚片11，11を有するインナー具１と、上記インナー具１の一対の上記第１脚片11，11を閉じるように挟持するための一対の第２脚片21，21を有するアウター具２と、を備え、上記開口縁部81を跨ぐように配設された上記インナー具１に上記アウター具２を外嵌状に組付けた袋取付け状態において、上記アウター具２は、一対の上記第２脚片21，21をもって一対の上記第１脚片11，11の開脚を規制し、上記インナー具１は、一対の上記第１脚片11，11が、ファスナ嵌合状態となるように袋外面側から上記ファスナ部Ｆを挟圧し、さらに、上記第１脚片11の内面に設けた小突起部12が袋外面側から上記ファスナ部Ｆの下縁部Ｆｄに係止して、上記ファスナ閉じ具３の上方への抜けを阻止するように構成したので、一定の挟圧力をもってファスナ部Ｆを嵌合状態にしつつ、スライドさせることができ、ファスナ嵌合の不完全（密封不足）を防止できる。ファスナ嵌合状態にするための挟圧力を作業者が付与する必要が無く、熟練した技量の無い人（操作のコツを知らない人）や、力の弱い人であっても、確実にファスナ嵌合状態にして、袋本体８を密封させることができる。また、ファスナ閉じ具３を小型・軽量化できる。また、ファスナ閉じ具３が抜け止めされ、袋本体８から外れず、子供による誤飲を防止できる。ファスナ閉じ具３が紛失する虞れが無く、また、ファスナ閉じ具３を探す手間も不要で、いつでも、どこでも、迅速に、かつ、繰り返し、袋本体８を密封状態にすることができる。例えば、スマートフォンを密封状態に収納して、浴室内で操作可能となり、或いは、家庭内での水仕事の際にも確実に防止できる。
【符号の説明】
【００４０】
１  インナー具
２  アウター具
３  ファスナ閉じ具
８  袋本体
11  第１脚片
12  小突起部
21  第２脚片
81  開口縁部
Ｆ  ファスナ部
Ｆｄ  下縁部
【図１】
2020005748.tif 000003
【図２】
2020005748.tif 000004
【図３】
2020005748.tif 000005
【図４】
2020005748.tif 000006
【図５】
2020005748.tif 000007
【図６】
2020005748.tif 000008
【図７】
2020005748.tif 000009
【図８】
2020005748.tif 000010
【図９】
2020005748.tif 000011
【図１０】
2020005748.tif 000012
【図１１】
2020005748.tif 000013
【図１２】
2020005748.tif 000014
【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
袋本体（８）の開口縁部（81）に沿って配設された密封用のファスナ部（Ｆ）をファスナ嵌合状態にするための閉作動専用のファスナ閉じ具であって、
上記開口縁部（81）を跨ぐように配設される一対の第１脚片（11）（11）を有するインナー具（１）と、上記インナー具（１）の一対の上記第１脚片（11）（11）を閉じるように挟持するための一対の第２脚片（21）（21）を有するアウター具（２）と、を備え、
上記インナー具（１）及び上記アウター具（２）は、樹脂成形品であって、
上記アウター具（２）の各上記第２脚片（21）は、左右内方突出状の前後側縁部（21ｄ）（21ｄ）を有し、
上記インナー具（１）は、上記アウター具（２）よりも剛性を低くするために上記アウター具（２）よりも軟質の樹脂で形成され、上記インナー具（１）の各上記第１脚片（11）は、下部の内面から左右内方へ突出する小突起部（12）を有し、
上記開口縁部（81）を跨ぐように配設された上記インナー具（１）に上記アウター具（２）を外嵌状に組付けた袋取付け状態において、上記アウター具（２）は、上記第２脚片（21）の下端が上記第１脚片（11）の上記小突起部（12）の上端よりも下位置に配設されると共に、上記第２脚片（21）の上記前後側縁部（21ｄ）（21ｄ）が上記第１脚片（11）の上下中間部位に対して挟持状に配設され、一対の上記第２脚片（21）（21）をもって一対の上記第１脚片（11）（11）の開脚を規制し、上記インナー具（１）は、一対の上記第１脚片（11）（11）が、ファスナ嵌合状態となるように袋外面側から上記ファスナ部（Ｆ）を挟圧し、さらに、上記第１脚片（11）の上記小突起部（12）が袋外面側から上記ファスナ部（Ｆ）の下縁部（Ｆｄ）に係止して、上方への抜けを阻止するように構成したことを特徴とするファスナ閉じ具。
【請求項２】
開口縁部（81）に沿って配設された密封用のファスナ部（Ｆ）を有する袋本体（８）と、上記袋本体（８）をファスナ嵌合状態にするための閉作動専用のファスナ閉じ具（３）と、を備えた密封用袋体であって、
上記ファスナ閉じ具（３）は、上記開口縁部（81）を跨ぐように配設される一対の第１脚片（11）（11）を有するインナー具（１）と、上記インナー具（１）の一対の上記第１脚片（11）（11）を閉じるように挟持するための一対の第２脚片（21）（21）を有するアウター具（２）と、を備え、
上記インナー具（１）及び上記アウター具（２）は、樹脂成形品であって、
上記アウター具（２）の各上記第２脚片（21）は、左右内方突出状の前後側縁部（21ｄ）（21ｄ）を有し、
上記インナー具（１）は、上記アウター具（２）よりも剛性を低くするために上記アウター具（２）よりも軟質の樹脂で形成され、上記インナー具（１）の各上記第１脚片（11）は、下部の内面から左右内方へ突出する小突起部（12）を有し、
上記開口縁部（81）を跨ぐように配設された上記インナー具（１）に上記アウター具（２）を外嵌状に組付けた袋取付け状態において、上記アウター具（２）は、上記第２脚片（21）の下端が上記第１脚片（11）の上記小突起部（12）の上端よりも下位置に配設されると共に、上記第２脚片（21）の上記前後側縁部（21ｄ）（21ｄ）が上記第１脚片（11）の上下中間部位に対して挟持状に配設され、一対の上記第２脚片（21）（21）をもって一対の上記第１脚片（11）（11）の開脚を規制し、上記インナー具（１）は、一対の上記第１脚片（11）（11）が、ファスナ嵌合状態となるように袋外面側から上記ファスナ部（Ｆ）を挟圧し、さらに、上記第１脚片（11）の上記小突起部（12）が袋外面側から上記ファスナ部（Ｆ）の下縁部（Ｆｄ）に係止して、上記ファスナ閉じ具（３）の上方への抜けを阻止するように構成したことを特徴とする密封用袋体。
【手続補正２】
【補正対象書類名】明細書
【補正対象項目名】０００６
【補正方法】変更
【補正の内容】
【０００６】
本発明のファスナ閉じ具は、袋本体の開口縁部に沿って配設された密封用のファスナ部をファスナ嵌合状態にするための閉作動専用のファスナ閉じ具であって、上記開口縁部を跨ぐように配設される一対の第１脚片を有するインナー具と、上記インナー具の一対の上記第１脚片を閉じるように挟持するための一対の第２脚片を有するアウター具と、を備え、上記インナー具及び上記アウター具は、樹脂成形品であって、上記アウター具の各上記第２脚片は、左右内方突出状の前後側縁部を有し、上記インナー具は、上記アウター具よりも剛性を低くするために上記アウター具よりも軟質の樹脂で形成され、上記インナー具の各上記第１脚片は、下部の内面から左右内方へ突出する小突起部を有し、上記開口縁部を跨ぐように配設された上記インナー具に上記アウター具を外嵌状に組付けた袋取付け状態において、上記アウター具は、上記第２脚片の下端が上記第１脚片の上記小突起部の上端よりも下位置に配設されると共に、上記第２脚片の上記前後側縁部が上記第１脚片の上下中間部位に対して挟持状に配設され、一対の上記第２脚片をもって一対の上記第１脚片の開脚を規制し、上記インナー具は、一対の上記第１脚片が、ファスナ嵌合状態となるように袋外面側から上記ファスナ部を挟圧し、さらに、上記第１脚片の上記小突起部が袋外面側から上記ファスナ部の下縁部に係止して、上方への抜けを阻止するように構成したものである。
【手続補正３】
【補正対象書類名】明細書
【補正対象項目名】０００７
【補正方法】変更
【補正の内容】
【０００７】
また、本発明の密封用袋体は、開口縁部に沿って配設された密封用のファスナ部を有する袋本体と、上記袋本体をファスナ嵌合状態にするための閉作動専用のファスナ閉じ具と、を備えた密封用袋体であって、上記ファスナ閉じ具は、上記開口縁部を跨ぐように配設される一対の第１脚片を有するインナー具と、上記インナー具の一対の上記第１脚片を閉じるように挟持するための一対の第２脚片を有するアウター具と、を備え、上記インナー具及び上記アウター具は、樹脂成形品であって、上記アウター具の各上記第２脚片は、左右内方突出状の前後側縁部を有し、上記インナー具は、上記アウター具よりも剛性を低くするために上記アウター具よりも軟質の樹脂で形成され、上記インナー具の各上記第１脚片は、下部の内面から左右内方へ突出する小突起部を有し、上記開口縁部を跨ぐように配設された上記インナー具に上記アウター具を外嵌状に組付けた袋取付け状態において、上記アウター具は、上記第２脚片の下端が上記第１脚片の上記小突起部の上端よりも下位置に配設されると共に、上記第２脚片の上記前後側縁部が上記第１脚片の上下中間部位に対して挟持状に配設され、一対の上記第２脚片をもって一対の上記第１脚片の開脚を規制し、上記インナー具は、一対の上記第１脚片が、ファスナ嵌合状態となるように袋外面側から上記ファスナ部を挟圧し、さらに、上記第１脚片の上記小突起部が袋外面側から上記ファスナ部の下縁部に係止して、上記ファスナ閉じ具の上方への抜けを阻止するように構成したものである。
【手続補正４】
【補正対象書類名】明細書
【補正対象項目名】００２２
【補正方法】変更
【補正の内容】
【００２２】
ここで、インナー具１及びアウター具２は、樹脂成形品であって、インナー具１は、アウター具２よりも剛性が低く形成されている。
言い換えると、アウター具２は、袋取付け状態で発生するインナー具１の弾性的復元力よりも高い剛性をもつように（インナー具１の開脚復元力を受けても変形しない強さに）形成されている。
インナー具１がアウター具２よりも剛性が低くなるようにする構成としては、インナー具１を、アウター具２よりも軟質の樹脂で形成する。
インナー具１の材質は、ＰＰ（ポリプレピレン）やナイロン等の軟質樹脂が好ましい。
アウター具２の材質は、ＰＣ（ポリカーボネイト）やＰＯＭ（ポリアセタール）等の硬質樹脂が好ましい。
【手続補正５】
【補正対象書類名】明細書
【補正対象項目名】００４０
【補正方法】変更
【補正の内容】
【００４０】
１  インナー具
２  アウター具
３  ファスナ閉じ具
８  袋本体
11  第１脚片
12  小突起部
21  第２脚片
21ｄ，21ｄ 前後側縁部
81  開口縁部
Ｆ  ファスナ部
Ｆｄ  下縁部